(57)【特許請求の範囲】
【請求項１】
表示装置（５）と第１の操作部材と第２の操作部材が設けられており、
前記操作部材によって、前記表示装置（５）に表示される無線装置機能が選択され、および／または起動され、前記第１および第２の操作部材が前記表示装置（５）の隣りに配置されていて、前記第１および第２の操作部材と前記表示装置（５）における無線装置機能表示との位置的な対応づけが形成されている無線装置において、
少なくとも第１の動作モードが設けられており、該第１の動作モード中、前記第１の操作部材に対しては該第１の動作モードに関する情報が、前記第２の操作部材に対しは第２の動作モードを起動する機能が、前記表示装置（５）において対応づけられており、
前記第２の動作モード中、前記第２の操作部材に対しては該第２の動作モードに関する情報が、前記第１の操作部材に対しては前記第１の動作モードを起動する機能が、前記表示装置（５）において割り当てられており、
前記第１の操作部材により操作可能である前記第１の動作モードを起動するための機能により表示が変更されることを特徴とする、
無線装置。
【請求項２】
少なくとも１つの操作部材（１１，．．．，１６）と表示装置（５）における無線装置（１）の対応機能表示との間において、有利には矢印状のグラフィックシンボルを表示装置（５）に表示可能である、請求項１記載の無線装置。
【請求項３】
表示装置（５）は矩形であり、無線装置（１）のケーシング表面（２０）に配置されており、表示装置（５）の少なくとも一方の側に少なくとも１つの操作部材（１１，．．．，１６）が配置されている、請求項１または２記載の無線装置。
【請求項４】
少なくとも１つの操作部材（１１，．．．，１６）を照明可能である、請求項１〜３のいずれか１項記載の無線装置。
【請求項５】
少なくとも１つの操作部材（１１，．．．，１６）を介して、１つの操作メニューのサブレベルを選択可能および／または起動可能である、請求項１〜４のいずれか１項記載の無線装置。
【請求項６】
少なくとも１つの操作部材（１１，．．．，１６）を介して、無線装置（１）内に設けられた電話番号メモリのエントリを選択可能および／または起動可能である、請求項１〜５のいずれか１項記載の無線装置。
【請求項７】
有利には英数字用のキー（３０）を備えた操作パネル（２５）が設けられており、少なくとも１つの操作部材（１１，．．．，１６）は該操作パネル（２５）から離されている、請求項１〜６のいずれか１項記載の無線装置。
【請求項８】
前記少なくとも１つの操作部材（１１，．．．，１６）は、無線装置（１）のケーシング表面（２０）の周縁領域近くに配置されている、請求項１〜７のいずれか１項記載の無線装置。
【発明の詳細な説明】
従来の技術
本発明は、請求項１の上位概念に記載の無線装置に関する。
未公開のドイツ連邦共和国特許出願1 96 05 373.0により、ディスプレイを備えたコードレステレフォンはすでに知られている。
発明の利点
これに対し、請求項１の特徴部分に記載の構成を備えた本発明による無線装置の有する利点とは、ディスプレイに表示可能な無線装置の機能を選択および／または作動させるために少なくとも１つの操作部材が設けられており、この少なくとも１つの操作部材は有利にはディスプレイのすぐ近くに配置されていて、その結果、少なくとも１つの操作部材と、ディスプレイにおける無線装置の機能の表示との位置的な対応づけが成立することである。このようにすれば、ユーザにとって操作や見やすさの点で著しく容易になり、改善されることになる。しかもこのようにすれば、操作がいっそう迅速かつ確実になる。
従属請求項には、請求項１記載の無線装置の有利な実施形態が示されている。
その際、少なくとも１つの操作部材と、ディスプレイ上の対応づけられた無線装置機能表示との間において、たとえば矢印上のグラフィックシンボルをディスプレイに表示させるようにすると有利である。このようにすれば、少なくとも１つの操作部材と割り当てられた機能の表示との位置的な対応づけがいっそう改善され、ユーザにとって見やすさが向上する。
この場合、少なくとも１つの操作部材を明るくすると有利である。これにより殊に暗い場合であっても、簡単で確実かつ迅速な操作が可能となる。
また、少なくとも１つの操作部材が操作パネルから離されているのも有利である。このようにすれば、操作パネル中のキーが削減され、このことでユーザにとって操作パネルがいっそう見やすくなり操作が簡単になって、操作快適性が高まることになる。
さらに、少なくとも１つの操作部材がたとえば無線装置ケーシング表面の周縁領域近くに配置されていると有利である。このようにすれば、少なくとも１つの操作部材がユーザにとっていっそう取り扱いやすくなり、この場合、無線装置を握っている手の指で少なくとも１つの操作部材を操作できるようになる。したがって、無線装置のしかるべく操作も片手で行えるようになる。
図面
次に、図面を参照しながら本発明の実施例について詳しく説明する。
図１は移動無線装置の正面図であり、図２〜図９は、ディスプレイに表示されるサブメニューレベルと対応する操作部材との割り当ての実例をそれぞれ示す図であり、図１０は、無線装置のディスプレイにおける操作ガイドのための基本メニューを描いた図である。
実施例の説明
図１には無線電話として構成された無線装置が示されており、これはたとえば移動電話機またはコードレステレフォンとして構成することができる。この無線装置１はそのケーシング表面２０に、英数字用のテンキー３０を備えた操作パネル２５と、アステリスクキー３５と、シャープキー４０を有している。操作パネル２５はさらに、到来したコールを受け入れるためないしは回線占有のための第１のオンフックキー４５と、通話状態終了ないしは回線解放のための第２のオフフックキー５０を有している。これら両方の機能をただ１つのキーによって実現することもできる。操作パネル２５はさらに、その上方でケーシング表面２０に配置された表示装置すなわちディスプレイ５に基本メニューを表示させるための基本状態キー５５を有している。さらに操作パネル２５はインフォメーションキー６５も有しており、このキーの操作により、ディスプレイ５に目下設定されているメニューレベルに対するインフォメーションテキストが表示される。同様に操作パネル２５内に配置されている戻りキー６０の操作により、直前に実行された操作過程が取り消される。つまりたとえば、呼び出すべき加入者のダイヤリングのために最後に入力された数字が消去されたり、ディスプレイ５において目下設定されているメニューレベルに対するインフォメーションテキストの表示から、ディスプレイ５における目下設定されているメニューレベルの表示に戻される、といった具合である。
ディスプレイ５は実質的に矩形に構成されており、２つの長辺のうちの一方が操作パネル２５に、他方が無線装置１の上縁部におけるアンテナ７０に向き合っている。
左側の短辺とケーシング表面２０の左側周縁部との間においてケーシング表面２０に、その短辺に沿って第１の操作部材１１、第２の操作部材１２および第３の操作部材１３が配置されている。また、ディスプレイ５の右側の短辺とケーシング表面２０の右側周縁部との間には、その短辺に沿って第４の表示部材１４、第５の表示部材１５および第６の表示部材１６が配置されている。その際、これら６つの操作部材１１，．．．１６の寸法は、それらがディスプレイ５の近くに配置され、かつ無線装置１におけるケーシング表面２０の周縁領域の近くにも配置されているように選定されている。このようにすれば操作部材１１，．．．１６を、すぐ近くの位置でディスプレイ５に表示可能な無線装置１の機能に対応づけることができ、これと同時にユーザは、無線装置１も握っている手の指を用いて片手で操作できるようになる。これらの操作部材１１，．．．１６を用いることで、ディスプレイ５に表示されており位置的にダイレクトに対応づけられている機能を、選択および／または起動させることができる。
操作部材１１，．．．１６はディスプレイ５の２つの短辺に配置されていることから、操作パネル２５からは離れている。図１０によれば、ディスプレイ５に操作ガイド用の基本メニューが表示されている。ここで述べる実施例の場合、この基本メニューには、サブメニューレベルとして電話帳機能、電卓機能、スケジューラ機能ならびにテキストエディタ機能が含まれている。その際、操作部材１１は電話帳機能表示に位置的に対応づけられており、第２の操作部材１２は電卓機能表示に、第３の操作部材１３はスケジューラ機能に、さらに第５の操作部材１５はテキストエディタ機能にそれぞれ位置的に対応づけられている。位置に関する対応づけは矢印状のグラフィックシンボルにより補助され、これはディスプレイ５において、しかるべき操作部材１１，１２，１３，１５と無線装置１の対応づけられた機能表示との間に表示させることができる。ここでは、第４の操作部材１４と第６の操作部材１６にはいかなる機能も割り当てられていない。選択可能なサブメニューレベルが６個よりも多い場合には、個々の操作部材をそれまで見えなかった基本メニューの機能へ切り替えるために使用できる。さらにディスプレイ５には、模式化された無線塔から放たれる縦長のストライプを用いて受信品質を表示させるための第１のシンボル７５と、無線装置１のバッテリの充電状態を表示するためのシンボル８０も含まれている。
英数字用のテンキー３０を利用して電話番号を入力することにより、基本メニューまたはディスプレイ５における目下の表示が、第２に示したように入力された電話番号の表示と置き換えられる。この場合、入力された電話番号は１つのトップメニューレベルを成し、これについて２つのサブメニューレベルもディスプレイ５に表示される。したがってこの場合、第２の操作部材１２にはサブメニューレベルとして、入力された電話番号をリダイヤルする機能が割り当てられており、第３の操作部材１３にはサブメニューレベルとして、入力された電話番号を無線装置１の電話番号メモリに取り込む機能が割り当てられている。第２の操作部材１２の操作により対応する機能が起動され、入力された電話番号のリダイヤルが実行される。同様に第３の操作部材１３を操作することにより、入力された電話番号が電話番号メモリへ取り込まれる。
無線装置１によってダイヤリングされた加入者の側で呼び出しを受け取る場合、あるいは到来した呼び出しの受領確認を行う場合、第１のフォークコンタクトキー４５の操作により目下のディスプレイの表示が消され、図３に示されているように通話状態を表すユーザインタフェースがディスプレイ５に表示される。その際、トップメニューレベルとして”通話”という表示と通話期間が挿入される。さらにその際、電話番号および場合によっては無線装置１から電話をかけてきた発呼加入者の名前も表示される。第５の操作部材１５には録音機能が割り当てられており、この第５の操作部材を操作すれば目下の通話が録音される。
図３に示されている実施例から出発して、図４に示されているようにディスプレイ５に描かれている無線装置１の通話加入者番号に名前が割り当てられ、これも同様にディスプレイ５に表示される。通話中、無線装置１に第３の加入者からのコールが届くと、これはディジタル交換技術に基づきやはりディスプレイ５に表示される。このとき第３の操作部材１３に対し、この操作部材の操作によりもとの通話リンクを維持しながらその間に到来したコールの受け入れを行わせる機能が、サブメニューレベルとして割り当てられる。このようにすれば、２つの通話リンクを同時に確立できる。したがって第３の操作部材１３の操作により２番目の通話が受領された後、図４によるユーザインタフェースから出発して、図５に示すユーザインタフェースの補足が実行される。これによれば、トップメニューレベルとして目下実行されている通話、その持続時間ならびにその通話の加入者の電話番号が挿入される。
図５のａ）は、もとの通話中に受け入れられた通話に関する。この場合、第２の操作部材１２には最初の通話の引き継ぎが機能として割り当てられており、これは第２の操作部材１２の操作により行われる。さらにこの場合、第３の操作部材１３には機能が割り当てられておらず、その代わりに目下第２の通話が実行されていることを表す情報だけが割り当てられている。第６の操作部材１６には会議接続が機能として割り当てられており、この第６の操作部材１６を操作すると、合わせて３人の加入者間で会議接続が実現される。図４や図３の場合と同様、第５の操作部材１５に割り当てられた録音機能が設けられている。
図５のａ）によるディスプレイ５上のユーザインタフェースは、第２の操作部材１２の操作により２番目の通話からもとの通話へ切り替えられたあとに表示されるものである。この場合、トップメニューレベルにおいて目下の通話として最初の通話、その持続時間ならびにその通話の加入者の電話番号が挿入される。このとき、第３の操作部材１３には２番目の通話の引き継ぎが機能として割り当てられ、これは第３の操作部材１３が操作されたときに実行される。他方、第２の操作部材１２には、もとの通話が実行されているという情報だけが割り当てられており、したがってこの第２の操作部材１２を操作してもいかなる機能も起動されない。図５のｂ）でも図５ａ）と同様、録音機能や会議接続機能が実現される。
図１０による基本メニューが表示されているときに第１の操作部材１１が操作されると、サブメニューレベルとして電話帳機能が選択され、新たなトップメニューレベルとして図６に示されているようにディスプレイ５上で表示が行われる。ここで電話帳機能のためのサブメニューレベルとして、ディスプレイ５における電話番号メモリのエントリが表示される。図６の実施例によればこのエントリには、電話加入者の氏名が含まれている。その際、第４の操作部材１４に対し、ディスプレイ５における上向きの矢印を用いることで、電話番号メモリ内でアルファベットの先頭方向に向かって次の加入者を選択してディスプレイ５に表示させる機能が割り当てられている。また、第６の操作部材１６には、ディスプレイ５における下向きの矢印を用いることで、電話番号メモリ内でアルファベットの終わりの方向へ向かって次の加入者を選択してディスプレイ５に表示させる機能が割り当てられている。第１の操作部材１１によって、ディスプレイ５に目下表示されている電話加入者の電話番号が電話番号メモリから選択される。この場合、その電話番号は第１の操作部材１１に対し明確に対応づけられている。また、第３の操作部材１３によって、ディスプレイ５に目下表示されている電話加入者に関するその他の情報を電話番号メモリから選択することができ、これにはたとえばその電話加入者のアドレスなどを含めることができる。
図１０に示されているようにディスプレイ５に基本メニューが表示されているときに第２の操作部材が操作されると、サブメニューレベル”電卓”が選択され、図７に示されているように新たなユーザインタフェースに切り替えられ、これにより新たなトップメニューレベルとして電卓機能が表示される。この場合、第１の操作部材１１には加算機能が割り当てられ、第２の操作部材１２には減算機能、第３の操作部材１３には乗算機能、第４の操作部材１４には除算機能、第５の操作部材１５にはパーセント機能、さらに第６の操作部材１６には結果機能が割り当てられている。このとき、数値入力は英数字用のテンキーによって行われる。また、目下実行されている計算過程もディスプレイ５に表示される。
図１０に示されているような基本メニューがディスプレイ５に表示されているときに第３の操作部材１３が操作されると、サブメニューレベルとしてスケジューラ機能が選択され、これにより新たなユーザインタフェースの新たなトップメニューレベルとして、図８に示されているようにスケジューラ機能が現れる。ディスプレイにおけるこの新たなユーザインタフェースにはさらに、無線装置１のスケジュールメモリのエントリがしかるべきスケジュールあるいは約束の目印として表示される。このスケジュールには名前が割り当てられる。ディスプレイ５内の上向き矢印が対応づけられている第４の操作部材１４によって、それよりも１つ手前のスケジュールエントリをスケジュールメモリから選択してディスプレイ５に表示させることができる。
また、ディスプレイ５の下向きの矢印が対応づけられている第６の操作部材１６によって、スケジュールメモリにおけるその次のエントリを選択してディスプレイ５に表示させることができる。電話帳機能と同様、アルファベット順以外の順序も当然可能であり、たとえば文字数による順序なども考えられる。第１の操作部材１１には、ディスプレイ５に目下表示されている約束に関連するスケジュールが日付と時刻として対応づけられている。この場合、第１の操作部材１１が操作されると、その約束がサブメニューレベルとして選択され、新たなユーザインタフェースにおける新たなトップメニューレベルがディスプレイに表示され、これによってその約束の変更が可能となる。さらに第３の操作部材１３が操作されると、機能”新たなスケジュール”が選択され、やはり新たなユーザインタフェースによって新たなトップメニューレベルが現れる。この場合、ディスプレイ５における新たなユーザインタフェースによって、たとえばゼロ位置から出発して新たな約束を入力することができる。
図６に示されているように電話帳機能が選択されているとき、あるいは図８に示されているようにスケジューラ機能が選択されているとき、英数字用のテンキー３０を用いて名前の入力が行われ、その際、ディスプレイ５にこの入力の１行分の表示が行われる。ここで目下の入力は常にその表示行の位置で行われ、これは点滅符号８５によって目立つようにされている。ここで点滅符号８５の位置は、その行内で第２の操作部材１２を用いて左側へ、第５の操作部材１５を用いて右側へそれぞれ移動させることができ、これは対応する操作部材１２，１５に割り当てられたディスプレイ５上の矢印によってグラフィカルに示されている。
これと同じことは、ディスプレイ５上のテキストエディタユーザインタフェースにおけるテキスト入力についてもあてはまり、このユーザインタフェースは、図１０に示した基本メニューにおいて第５の操作部材１５を用いて対応するサブメニューレベルを選択した後の状態である。ディスプレイ５におけるテキストエディタユーザインタフェースは、図９に描かれている。この図に示されているテキストエディタ機能によれば、第４の操作部材１４または第６の操作部材１６を操作することによって、無線装置１のテキストメモリからさらに別のテキストを選択して、ディスプレイ５に表示させることがでいる。この場合、第４の操作部材１４にはディスプレイ５における上向き矢印が対応づけられており、第６の操作部材１６にはディスプレイ５における下向き矢印が対応づけられている。第４の操作部材１４を操作すると、格納されているテキストの選択にあたりテキストメモリが、第１の方向たとえばアルファベット先頭に向かって進められる。また、第６の操作部材１６を操作すると、格納されているテキストの選択にあたりテキストメモリが、第１の方向とは逆向きの第２の方向たとえばアルファベットの終わりに向かって進められる。さらに第１の操作部材を操作すると送信機能が呼び出され、これによりディスプレイ５において所望の受信装置ないしはその電話番号を入力するための新たなユーザインタフェースが表示される。
本発明は既述の実施例に限定されるものではなく、任意のユーザインタフェースが可能であり、その際にも同様に操作部材１１，．．．，１６が、有利にはディスプレイ５における対応づけを向上させるために矢印状のグラフィックシンボルを使用しながら、ディスプレイ５における無線装置１の対応する機能表示に位置的に対応づけられる。なお、対応づけをよくするため、それらの表示を付加的にカラーで配置させることができる。さらに操作部材１１，．．．，１６を照明可能に構成することもできる。また、必要に応じて、ディスプレイ５をもっと大きくしたり小さくしたりすることも可能であるし、操作部材の個数を増やしたり減らしたりして側面に配置させることもできる。
【図１】
0003894958.tif 000002
【図２】
0003894958.tif 000003
【図３】
0003894958.tif 000004
【図４】
0003894958.tif 000005
【図６】
0003894958.tif 000006
【図５ａ】
0003894958.tif 000007
【図５ｂ】
0003894958.tif 000008
【図７】
0003894958.tif 000009
【図８】
0003894958.tif 000010
【図９】
0003894958.tif 000011
【図１０】
0003894958.tif 000012